(57)【要約】  吹出口からの風向範囲を拡大することができる送風装置を提供する。  送風装置は、縁部で囲まれた吹出口の吹出面に対して略平行な軸回りに回動し、吹出口からの風向きを調整する風向調整板を備える。風向調整板は、吹出面に対して略平行をなす閉状態及び吹出面に対して所要の傾斜をなす開状態の間で回動するようにしてある。送風装置は、閉状態で、吹出口の軸を間にして対向する縁部それぞれと風向調整板との間に隙間を設けてある。
2015141023.tif 000002
【特許請求の範囲】
【請求項１】
吹出口からの風向きを調整する風向調整板を備え、該風向調整板の中途に設けられた軸の回りに前記風向調整板を回動させる送風装置であって、
前記風向調整板は、
前記吹出口の閉状態及び開状態の間で回動するようにしてあり、
前記閉状態で、前記風向調整板の前記軸を間にする側縁の一部及び該一部に対応する他部それぞれと前記吹出口との間に隙間を設けてあることを特徴とする送風装置。
【請求項２】
前記風向調整板により風向きを下方へ案内する案内部を、前記側縁の一部に設けてあることを特徴とする請求項１に記載の送風装置。
【請求項３】
前記案内部は、
前記閉状態で風向きを案内するようにしてあり、前記開状態で風向きを案内しないようにしてあることを特徴とする請求項２に記載の送風装置。
【請求項４】
前記風向調整板は、
前記案内部を収容する収容部を備え、
さらに、前記風向調整板の回動に応動して、前記閉状態で前記案内部を前記風向調整板から突出させ、前記開状態で前記案内部を前記収容部に収容すべく前記案内部を駆動する駆動部を備えることを特徴とする請求項２又は請求項３に記載の送風装置。
【請求項５】
前記案内部は、
前記風向調整板の前記側縁の一部に設けられたリブであり、
さらに、該リブを遮蔽する遮蔽部と、
前記風向調整板の回動に応動して、前記閉状態で前記リブを露出させ、前記開状態で前記リブを遮蔽すべく前記遮蔽部を駆動する駆動部と
を備えることを特徴とする請求項２又は請求項３に記載の送風装置。
【発明の詳細な説明】
【技術分野】
【０００１】
本発明は、吹出口からの風向きを調整する風向調整板を備える送風装置に関する。
【背景技術】
【０００２】
除湿機又は空気清浄機などの空気を吹き出す吹出口を備える送風装置は、例えば、部屋の乾燥や除菌、あるいは衣類の乾燥などを目的としており、吹出口からの風向きを調整するためのルーバを備えている（特許文献１〜５を参照）。
【先行技術文献】
【特許文献】
【０００３】
【特許文献１】特開２０００−２４０９７４号公報
【特許文献２】特開２００１−２２７８０９号公報
【特許文献３】特開２００２−２４３１９９号公報
【特許文献４】特開２０１２−１９３８８５号公報
【特許文献５】特許第３８６４７９２号公報
【発明の概要】
【発明が解決しようとする課題】
【０００４】
しかし、従来の除湿機や空気清浄機などは、床に置かれた状態で空気を上方に向けて吹き出すものが多い。また、ルーバを回転させて風向きを調整する製品も開発されているものの、空気の吸い込み、吹き出しの構造上、風向範囲は制限されている。さらに、ケーシング（筐体）内や吹出口の形状により風向範囲を広げることも考えられるが、吹出口を多数設けるなど複雑な構造となることが多い。【０００５】
本発明は斯かる事情に鑑みてなされたものであり、吹出口からの風向範囲を拡大することができる送風装置を提供することを目的とする。
【課題を解決するための手段】
【０００６】
本発明に係る送風装置は、吹出口からの風向きを調整する風向調整板を備え、該風向調整板の中途に設けられた軸の回りに前記風向調整板を回動させる送風装置であって、前記風向調整板は、前記吹出口の閉状態及び開状態の間で回動するようにしてあり、前記閉状態で、前記風向調整板の前記軸を間にする側縁の一部及び該一部に対応する他部それぞれと前記吹出口との間に隙間を設けてあることを特徴とする。【０００７】
本発明に係る送風装置は、前記風向調整板により風向きを下方へ案内する案内部を、前記側縁の一部に設けてあることを特徴とする。【０００８】
本発明に係る送風装置は、前記案内部は、前記閉状態で風向きを案内するようにしてあり、前記開状態で風向きを案内しないようにしてあることを特徴とする。【０００９】
本発明に係る送風装置は、前記風向調整板は、前記案内部を収容する収容部を備え、さらに、前記風向調整板の回動に応動して、前記閉状態で前記案内部を前記風向調整板から突出させ、前記開状態で前記案内部を前記収容部に収容すべく前記案内部を駆動する駆動部を備えることを特徴とする。【００１０】
本発明に係る送風装置は、前記案内部は、前記風向調整板の前記側縁の一部に設けられたリブであり、さらに、該リブを遮蔽する遮蔽部と、前記風向調整板の回動に応動して、前記閉状態で前記リブを露出させ、前記開状態で前記リブを遮蔽すべく前記遮蔽部を駆動する駆動部とを備えることを特徴とする。
【発明の効果】
【００１１】
本発明によれば、吹出口からの風向範囲を拡大することができる。
【図面の簡単な説明】
【００１２】
【図１】本実施の形態の送風装置としての第１実施例の除湿機の外観の一例を示す説明図である。
【図２】第１実施例の除湿機の内部構造の一例を示す側面図である。
【図３】第１実施例の除湿機のルーバが閉状態の場合の風向の一例を示す模式図である。
【図４】第１実施例の除湿機のルーバが開状態の場合の内部構造の一例を示す側面図である。
【図５】第１実施例の除湿機のルーバが開状態の場合の風向の一例を示す模式図である。
【図６】第２実施例の除湿機のルーバの要部構成の一例を示す側面図である。
【図７】第２実施例の除湿機のルーバが閉状態の場合の風向の一例を示す模式図である。
【図８】第２実施例の除湿機のルーバが開状態の場合の風向の一例を示す模式図である。
【図９Ａ】第３実施例の除湿機の前ルーバの要部構成の一例を示す側面図である。
【図９Ｂ】第３実施例の除湿機の前ルーバの要部構成の一例を示す側面図である。
【図１０】第３実施例の除湿機のルーバが閉状態の場合の風向の一例を示す模式図である。
【図１１】第３実施例の除湿機のルーバが開状態の場合の風向の一例を示す模式図である。
【図１２Ａ】第４実施例の除湿機の前ルーバの要部構成の一例を示す側面図である。
【図１２Ｂ】第４実施例の除湿機の前ルーバの要部構成の一例を示す側面図である。
【図１３】第４実施例の除湿機のルーバが閉状態の場合の風向の一例を示す模式図である。
【図１４】第４実施例の除湿機のルーバが開状態の場合の風向の一例を示す模式図である。
【図１５】第５実施例の除湿機の前ルーバの要部構成の一例を示す側面図である。
【図１６】本実施の形態の送風装置としての第６実施例の空調機の内部構造の一例を示す側面図である。
【発明を実施するための形態】
【００１３】
（第１実施形態、第１実施例）
以下、本発明を実施の形態を示す図面に基づいて説明する。図１は本実施の形態の送風装置としての第１実施例の除湿機１００の外観の一例を示す説明図である。以下の実施の形態では、送風装置の例として除湿機について説明するが、送風装置は、除湿機に限定されるものではなく、空気清浄機、エアコンなどの空調機、その他空気を吹出口から吹き出すことにより送風する装置も含むものとする。
【００１４】
図１に示すように、除湿機１００は、部屋の床などに設置することができ、除湿機本体７０は、箱体をなす。除湿機本体７０の上面には、天板７１を有する。天板７１の前側（除湿機１００の前側、正面側）には、縁部４１、４２、４３、４４で囲まれ略矩形状の吹出口３０を設けてある。また、吹出口３０の近傍には、吹出口３０の吹出面に対して略平行な軸回りに回動し、吹出口３０からの風向きを調整する風向調整板としての前ルーバ１０及び後ルーバ２０を備える。なお、前ルーバ１０及び後ルーバ２０を纏めてルーバとも称する。また、天板７１の後側（除湿機１００の後側、背面側）には、前ルーバ１０及び後ルーバ２０の回動を操作する操作パネルを設けてある。
【００１５】
図２は第１実施例の除湿機１００の内部構造の一例を示す側面図である。図２において、紙面の左側は除湿機１００の前側（正面側）であり、紙面の右側は除湿機１００の後側（背面側）である。図２に示すように、除湿機本体７０の内部には、底部前側にコンプレッサ（圧縮機）５４を設けてあり、底部後側には、ドレンタンク５８を設けてある。ドレンタンク５８の上方には、エバポレータ（蒸発器）５６及びコンデンサ（凝縮器）５７を配置してある。除湿機本体７０の背面には、吸気口５３を設けてあり、吸気口５３の内側にはフィルタ５５を配置してある。
【００１６】
吹出口３０に連通する空気の流路には、吸気口５３から吸気した空気を吹出口３０の方へ送風する送風ファン５１を設けてあり、送風ファン５１の中央部には、送風ファン５１を回転させるためのファンモータ５２を設けてある。送風ファン５１を回転することにより、空気を吹出口３０の方へ向かって上方に送風することができる。
【００１７】
吹出口３０の近傍には、吹出口３０の吹出面３３に対して略平行な軸１１回りに回動する前ルーバ１０、及び吹出面３３に対して略平行な軸２１回りに回動する後ルーバ２０を配置してある。すなわち、前ルーバ１０の中途に軸１１を設けてあり、後ルーバ２０の中途に軸２１を設けてある。前ルーバ１０及び後ルーバ２０は、ルーバ駆動モータ５０により回動することができる。前ルーバ１０の下端は、縁部４１の上端より高い位置に設けてある。
【００１８】
前ルーバ１０及び後ルーバ２０は、吹出面３３に対して略平行をなしている。なお、吹出口３０の縁部４３、４４が湾曲している場合、吹出面３３は、天板７１と同一平面、または水平面とすることができる。
【００１９】
前ルーバ１０及び後ルーバ２０が吹出面３３に対して略平行をなしている状態を閉状態と称する。また、図２に示すように、前ルーバ１０及び後ルーバ２０が閉状態の場合、吹出口３０の軸１１、２１を間にして対向する縁部４１、４２それぞれと前ルーバ１０及び後ルーバ２０との間に隙間３１、３２を設けてある。すなわち、吹出口３０の閉状態で、前ルーバ１０及び後ルーバ２０の軸１１、２１を間にする側縁の一部及び当該一部に対応する他部それぞれと吹出口３０との間に隙間３１、３２を設けてある。ここで、「軸を間にする」とは、前ルーバ１０及び後ルーバ２０が軸１１、２１の回りに回動する場合に、軸１１、２１を中心にして隙間３１、３２の開口度合が変化することを意味する。図２の例では、隙間３１、３２の間に、図２の紙面に垂直方向の軸１１、２１が位置している。すなわち、図２の紙面に垂直な軸１１、２１の左右に隙間３１、３２が設けられている。また、「一部に対応する他部」とは、例えば、軸１１、２１を中心にして相互に略線対称となる部分をいう。すなわち、前ルーバ１０及び後ルーバ２０の側縁の一部と他部とが、軸１１、２１を中心にして略線対称となっている。なお、略線対称とは、例えば、前ルーバ１０の前方側縁の形状と、後ルーバ２０の後方側縁の形状とが、同一である場合に限定されないという趣旨であり、例えば、一方が直線状であり、他方が曲線状であってもよいことを意味する。また、吹出口３０の閉状態で、前ルーバ１０と後ルーバ２０との間には、前ルーバ１０及び後ルーバ２０それぞれの回動を妨げない程度の隙間があるが、当該隙間からはほとんど空気が吹き出さないようになっている。
【００２０】
すなわち、前ルーバ１０が閉状態の場合、前ルーバ１０の前方側縁と吹出口３０の縁部４１との間に隙間３１を設けてある。また、後ルーバ２０が閉状態の場合、後ルーバ２０の後方側縁と吹出口３０の縁部４２との間に隙間３２を設けてある。
【００２１】
図３は第１実施例の除湿機１００のルーバが閉状態の場合の風向の一例を示す模式図である。上述のとおり、前ルーバ１０及び後ルーバ２０が閉状態の場合、前ルーバ１０及び後ルーバ２０は、吹出口３０の吹出面３３に略平行となる。また、前ルーバ１０の前方側縁と吹出口３０との間に隙間３１があり、後ルーバ２０の後方側縁と吹出口３０との間に隙間３２がある。すなわち、除湿機１００の上面に吹出口３０を設けた場合には、一方の隙間３１は、除湿機１００の前側（正面側）に位置し、他方の隙間３２は、除湿機１００の後側（背面側）に位置する。
【００２２】
したがって、図３の矢印で示すように、ルーバが閉状態では、除湿機１００の前面に空気を吹き出すことができるとともに、除湿機１００の後側にも吹き出すことができ、吹出口３０からの風向範囲を拡大することができる。
【００２３】
図４は第１実施例の除湿機１００のルーバが開状態の場合の内部構造の一例を示す側面図である。なお、内部構造は、図２の場合と同様であるので説明は省略する。図４に示すように、前ルーバ１０及び後ルーバ２０が開状態の場合には、前ルーバ１０及び後ルーバ２０は、吹出面３３に対して所要の傾斜をなす。
【００２４】
前ルーバ１０及び後ルーバ２０は、例えば、吹出面３３に対して傾斜角が略０度から、所要の最大傾斜角（例えば、４５度、６０度など）の間で回動させることができる。
【００２５】
図５は第１実施例の除湿機１００のルーバが開状態の場合の風向の一例を示す模式図である。図５に示すように、ルーバが開状態では、前ルーバ１０及び後ルーバ２０が吹出面３３に対して所要の傾斜をなすので、例えば、矢印で示すように、除湿機１００の上面に吹出口３０を設けた場合には、空気を斜め上方方向に吹き出すことができる。また、後ルーバ２０の後方側縁からの空気を斜め後ろ上方へ吹き出すことができる。また、前ルーバ１０及び後ルーバ２０を開状態と閉状態との間で回動させることにより、風を部屋全体に効率的に送り出すことができる。
【００２６】
（第２実施例）
図６は第２実施例の除湿機１００のルーバの要部構成の一例を示す側面図である。図６に示すように、前ルーバ１０及び後ルーバ２０の内、前ルーバ１０の前方側縁１１１に案内部としてのリブ１２を設けてある。すなわち、リブ１２を、吹出口３０の対向する縁部４１、４２の一方（前側）の縁部４１側の前ルーバ１０側縁１１１に設けてある。リブ１２は、前ルーバ１０の前方側縁１１１に沿って斜め下方に立設してある。これにより、リブ１２は、前ルーバ１０に対して風向きを下方へ案内することができる。なお、風向きを下方へ案内するとは、下方に限定されるものではなく、斜め下方へ案内する場合も含む。
【００２７】
図７は第２実施例の除湿機１００のルーバが閉状態の場合の風向の一例を示す模式図であり、図８は第２実施例の除湿機１００のルーバが開状態の場合の風向の一例を示す模式図である。図７の矢印に示すように、ルーバが閉状態の場合には、吹出口３０から吹き出された空気は、前ルーバ１０により吹出面３３と略平行に風向きが変えられ、さらに案内部としてのリブ１２により前ルーバ１０に対して下方へ風向きが変えられるので、除湿機１００の前面の隙間３１から吹き出された空気を、斜め下方に吹き出すことができる。これにより、除湿機１００が置かれた床の方へ送風することができ床（例えば、カーペット、敷物など）の除湿を行うことができる。なお、前ルーバ１０に対して風向きを下方へ案内するとは、図７に例示したように、除湿機１００を床等に設置した場合に、吹出口３０から吹き出される空気が、前ルーバ１０に当って、前ルーバ１０よりも下方へ（すなわち、床の方へ）案内されることをいう。
【００２８】
また、図８の矢印に示すように、ルーバが開状態では、前ルーバ１０及び後ルーバ２０が吹出面３３に対して所要の傾斜をなすので、除湿機１００の上面に吹出口３０を設けた場合には、空気を斜め上方方向に吹き出すことができる。また、後ルーバ２０の後方側縁からの空気を斜め後ろ上方へ吹き出すことができる。
【００２９】
（第３実施例）
図９Ａ及び図９Ｂは第３実施例の除湿機１００の前ルーバ１０の要部構成の一例を示す側面図である。図９Ａは前ルーバ１０が開状態の場合の構造を示し、図９Ｂは前ルーバ１０が閉状態の場合の構造を示す。図９に示すように、前ルーバ１０の前方側縁１１１に沿って、前ルーバ１０に対して立設したリブ１２を設けてある。なお、リブ１２は、前ルーバ１０に対して下方に風向きを案内することができるものであれば、適宜の形状とすることができる。前ルーバ１０は、一面（下面側）が凹状をなし、案内部としての風向板１３を収容する収容部１０１を形成してある。前ルーバ１０の下面側には、風向板１３の一部が入出するための開口を有した下板１０５を取り付けてある。
【００３０】
風向板１３は、側面視がＬ字状をなし、支持板１３２及び支持板１３２の一端から略垂直に延設された突出板１３１を有する。支持板１３２の中央部には、駆動部としてのスプリング１４が、前ルーバ１０の収容部１０１に取り付けられている。スプリング１４は、支持板１３２を付勢することにより、突出板１３１全体が収容部１０１に収容されるようになっている。
【００３１】
下板１０５には、略円柱状であって駆動部としてのピン１５を摺動可能に挿通する挿通孔１６を形成してある。ピン１５は、支持板１３２の端部に当接するようにしてある。
【００３２】
図９Ａに示すように、前ルーバ１０が開状態の場合には、スプリング１４の付勢力により支持板１３２の端部がピン１５の一端（上端）を押し下げ、ピン１５は、下板１０５の下方に突出している。また、突出板１３１は、収容部１０１に収容されている。なお、図９Ａの状態で、ピン１５は、挿通孔１６から抜けないようにしてある。
【００３３】
図９Ｂに示すように、前ルーバ１０が閉状態の場合には、ピン１５の他端（下端）が後述の規制片４５により規制され、ピン１５が上方に持ち上げられる。これにより、支持板１３２の端部もピン１５により上方に持ち上げられ、突出板１３１は、下板１０５から突出する。すなわち、案内部としての風向板１３が前ルーバ１０から下方に突出する。
【００３４】
図１０は第３実施例の除湿機１００のルーバが閉状態の場合の風向の一例を示す模式図であり、図１１は第３実施例の除湿機１００のルーバが開状態の場合の風向の一例を示す模式図である。図１０の例では、ピン１５は規制片４５により規制され、上方に持ち上げられている。なお、規制片４５は、例えば、縁部４３、４４付近の所要の位置に２箇所設けられている。一方、図１１の例では、ピン１５は規制片４５から離隔しており、ピン１５は下方へさらに突出している。
【００３５】
図１０の矢印に示すように、ルーバが閉状態の場合には、吹出口３０から吹き出された空気は、前ルーバ１０により吹出面３３と略平行に風向きが変えられ、さらに案内部としての風向板１３（突出板１３１）により前ルーバ１０に対して下方へ風向きが変えられるので、除湿機１００の前面の隙間３１から吹き出された空気を、斜め下方に吹き出すことができる。これにより、除湿機１００が置かれた床の方へ送風することができ床（例えば、カーペット、敷物など）の除湿を行うことができる。
【００３６】
また、図１１の矢印に示すように、ルーバが開状態では、前ルーバ１０及び後ルーバ２０が吹出面３３に対して所要の傾斜をなすので、除湿機１００の上面に吹出口３０を設けた場合には、空気を斜め上方方向に吹き出すことができる。また、後ルーバ２０の後方側縁からの空気を斜め後ろ上方へ吹き出すことができる。
【００３７】
上述のように、第３実施例では、前ルーバ１０は、風向板１３を収容する収容部１０１を備える。スプリング１４及びピン１５は、前ルーバ１０の回動に応動して、閉状態で風向板１３を前ルーバ１０から突出させ、開状態で風向板１３を収容部１０１に収容すべく風向板１３を駆動する。
【００３８】
すなわち、前ルーバ１０が、吹出面３３と略平行となる閉状態では、風向板１３が、前ルーバ１０から突出して、前ルーバ１０に対して風向きを下方へ案内するので、除湿機１００の前面の隙間３１から吹き出された空気を、斜め下方に吹き出すことができる。一方、前ルーバ１０が、吹出面３３に対して傾斜する開状態では、風向板１３が、収容部１０１に収容されるので、吹出口３０から吹き出された空気を、前ルーバ１０及び後ルーバ２０の傾斜角度に応じた斜め上方へスムーズに吹き出すことができる。すなわち、空気を斜め上方に吹き出す場合に、空気の流れが風向板１３により乱されることがない。
【００３９】
（第４実施例）
図１２Ａ及び図１２Ｂは第４実施例の除湿機１００の前ルーバ１０の要部構成の一例を示す側面図である。図１２Ａは前ルーバ１０が開状態の場合の構造を示し、図１２Ｂは前ルーバ１０が閉状態の場合の構造を示す。図１２に示すように、前ルーバ１０の前方側縁１１１に沿って、前ルーバ１０に対して立設したリブ１２を設けてある。なお、リブ１２は、前ルーバ１０に対して下方に風向きを案内することができるものであれば、適宜の形状とすることができる。前ルーバ１０は、一面（下面側）が凹状をなし、遮蔽部としての遮蔽板１７を収容する収容部１０１を形成してある。前ルーバ１０の下面側には、遮蔽板１７が入出するための開口を有した下板１０５を取り付けてある。
【００４０】
遮蔽板１７の中央部には、駆動部としての押圧部１８を設けている。図１２の例では、押圧部１８は、半球状であるが、押圧部１８の形状は、規制片４５により押圧することができるものであれば、どのような形状でもよい。遮蔽板１７の端部には、駆動部としてのスプリング１９が、前ルーバ１０の収容部１０１に取り付けられている。スプリング１９は、遮蔽板１７を付勢することにより、遮蔽板１７と下板１０５とが、ほぼ同一平面状になるようにしてある。
【００４１】
図１２Ａに示すように、前ルーバ１０が開状態の場合には、スプリング１９の付勢力により遮蔽板１７が、リブ１２を隠し（遮蔽し）、遮蔽板１７と下板１０５とが、ほぼ同一平面状になる。
【００４２】
図１２Ｂに示すように、前ルーバ１０が閉状態の場合には、押圧部１８が規制片４５により規制され、押圧部１８が上方に持ち上げられる。これにより、遮蔽板１７も端部を支点にして上方に持ち上げられる。これにより、リブ１２が露出するようになる。
【００４３】
図１３は第４実施例の除湿機１００のルーバが閉状態の場合の風向の一例を示す模式図であり、図１４は第４実施例の除湿機１００のルーバが開状態の場合の風向の一例を示す模式図である。図１３の例では、押圧部１８は規制片４５により規制され、上方に持ち上げられている。これにより、リブ１２が露出する。なお、規制片４５は、例えば、縁部４３、４４付近の所要の位置に２箇所設けられている。一方、図１４の例では、押圧部１８は規制片４５から離隔しており、遮蔽板１７はリブ１２を覆う。
【００４４】
図１３の矢印に示すように、ルーバが閉状態の場合には、吹出口３０から吹き出された空気は、前ルーバ１０により吹出面３３と略平行に風向きが変えられ、さらに案内部としてのリブ１２により前ルーバ１０に対して下方へ風向きが変えられるので、除湿機１００の前面の隙間３１から吹き出された空気を、斜め下方に吹き出すことができる。これにより、除湿機１００が置かれた床の方へ送風することができ床（例えば、カーペット、敷物など）の除湿を行うことができる。
【００４５】
また、図１４の矢印に示すように、ルーバが開状態では、前ルーバ１０及び後ルーバ２０が吹出面３３に対して所要の傾斜をなすので、除湿機１００の上面に吹出口３０を設けた場合には、空気を斜め上方方向に吹き出すことができる。また、後ルーバ２０の後方側縁からの空気を斜め後ろ上方へ吹き出すことができる。
【００４６】
上述のように、第４実施例では、案内部は、前ルーバ１０の側縁１１１に設けられたリブ１２である。遮蔽板１７は、ルーバが閉状態でリブ１２を露出させ、ルーバが開状態でリブ１２を遮蔽する。押圧部１８及びスプリング１９は、前ルーバ１０の回動に応動して、遮蔽板１７を駆動する。
【００４７】
すなわち、前ルーバ１０が、吹出面３３と略平行となる閉状態では、案内部としてのリブ１２が露出し、リブ１２が前ルーバ１０に対して風向きを下方へ案内するので、除湿機１００の前面の隙間３１から吹き出された空気を、斜め下方に吹き出すことができる。一方、前ルーバ１０が、吹出面３３に対して傾斜する開状態では、リブ１２が遮蔽板１７で遮蔽されるので、吹出口３０から吹き出された空気を、前ルーバ１０の傾斜角度に応じた斜め上方へスムーズに吹き出すことができる。すなわち、空気を斜め上方に吹き出す場合に、空気の流れが案内部により乱されることがない。
【００４８】
また、第３実施例及び第４実施例では、風向板１３又はリブ１２は、前ルーバ１０の回動に応動して、閉状態で風向きを案内するようにしてあり、開状態で風向きを案内しないようにしてある。すなわち、前ルーバ１０が、吹出面３３と略平行となる閉状態では、風向板１３又はリブ１２が、前ルーバ１０に対して風向きを下方へ案内するので、除湿機１００の前面の隙間３１から吹き出された空気を、斜め下方に吹き出すことができる。一方、前ルーバ１０が、吹出面３３に対して傾斜する開状態では、風向板１３又はリブ１２が、前ルーバ１０に対して風向きを下方へ案内しないので、吹出口３０から吹き出された空気を、前ルーバ１０の傾斜角度に応じた斜め上方へスムーズに吹き出すことができる。すなわち、空気を斜め上方に吹き出す場合に、空気の流れが風向板１３又はリブ１２により乱されることがない。
【００４９】
（第５実施例）
図１５は第５実施例の除湿機１００の前ルーバ１０の要部構成の一例を示す側面図である。図１５に示すように、前ルーバ１０の下板１０５は、側縁１１１側に湾曲面１０２を有する。そして、前ルーバ１０の側縁１１１側の厚みをｄ１、反対側の厚みをｄ２とすると、ｄ１＞ｄ２となるようにしてある。
【００５０】
第５実施例では、前ルーバ１０が、吹出面３３と略平行となる閉状態では、案内部としての湾曲面１０２が前ルーバ１０に対して風向きを下方へ案内するので、除湿機１００の前面の隙間３１から吹き出された空気を、斜め下方に吹き出すことができる。
【００５１】
（第２実施形態、第６実施例）
上述の第１実施形態では、送風装置として除湿機を例に挙げて説明したが、送風装置は除湿機に限定されるものではない。また、送風装置は、床などに設置されるものに限定されない。
【００５２】
図１６は本実施の形態の送風装置としての第６実施例の空調機２００の内部構造の一例を示す側面図である。空調機２００は、例えば、エアコンであり、暖房、冷房、除湿、殺菌などの空気調和機能を備える。図１６に示すように、空調機２００は、部屋の壁などに設置され、前面に吹出口２３０を設けている。
【００５３】
下ルーバ２１０及び上ルーバ２２０は、吹出面２３３に対して略平行をなす閉状態及び吹出面２３３に対して所要の傾斜をなす開状態の間で回動するようにしてある。ルーバが開状態では、下ルーバ２１０及び上ルーバ２２０が吹出面２３３に対して所要の傾斜をなすので、空気を所要の方向に吹き出すことができる。
【００５４】
下ルーバ２１０及び上ルーバ２２０が閉状態では、吹出口２３０と下ルーバ２１０の下方側縁２１１との間に隙間２３１を設けてあり、吹出口２３０と上ルーバ２２０の上方側縁２２１との間に隙間２３２を設けてある。
【００５５】
また、閉状態では、下ルーバ２１０及び上ルーバ２２０が吹出面２３３に対して略平行をなすので、図１６に示すように、前面に吹出口２３０を設けた場合には、一方の隙間２３１は、空調機２００の下方に位置し、他方の隙間２３２は、空調機２００の上方に位置する。
【００５６】
かかる構成により、閉状態では、空気を空調機２００の下方及び上方に吹き出すことができるので、吹出口２３０からの風向範囲を拡大することができる。また、下ルーバ２１０及び上ルーバ２２０を開状態と閉状態との間で回動させることにより、風を部屋全体に効率的に送り出すことができる。
【００５７】
上述の実施の形態では、ルーバ（風向調整板）として、前ルーバ１０及び後ルーバ２０の２枚のルーバを備える構成であったが、ルーバの枚数は２枚に限定されるものではなく、３枚以上でもよく、１枚でもよい。すなわち、ルーバが、さらに分断されて、軸が３個以上ある場合であっても、上述の実施の形態と同様に、最前列のルーバの前方側縁と吹出口との間に隙間を設けるとともに、最後列のルーバの後方側縁と吹出口との間に隙間を設けることができる。
【００５８】
本発明の上述の各実施の形態で記載されている技術特徴は、お互いに組み合わせて新しい技術方案を形成することができる。
【００５９】
本実施の形態の送風装置は、吹出口（３０）からの風向きを調整する風向調整板（１０、２０）を備え、該風向調整板の中途に設けられた軸（１１、２１）の回りに前記風向調整板を回動させる送風装置であって、前記風向調整板は、前記吹出口の閉状態及び開状態の間で回動するようにしてあり、前記閉状態で、前記風向調整板の前記軸を間にする側縁の一部及び該一部に対応する他部それぞれと前記吹出口との間に隙間（３１、３２）を設けてあることを特徴とする。
【００６０】
本実施の形態にあっては、風向調整板（１０、２０）は、吹出口（３０）の閉状態及び開状態の間で回動するようにしてある。開状態では、例えば、風向調整板が吹出口の吹出面に対して所要の傾斜をなすので、例えば、送風装置（１００）の上面に吹出口を設けた場合には、空気を斜め上方方向に吹き出すことができる。閉状態で、風向調整板の軸（１１、２１）を間にする側縁の一部（１１１）及び当該一部に対応する他部それぞれと吹出口との間に隙間（３１、３２）を設けてある。閉状態では、例えば、風向調整板が吹出面に対して略平行をなすので、送風装置の上面に吹出口を設けた場合には、一方の隙間（３１）は、送風装置の前側（正面側）に位置し、他方の隙間（３２）は、送風装置の後側（背面側）に位置する。
【００６１】
かかる構成により、閉状態では、空気を送風装置の前面に吹き出すことができるとともに、送風装置の後側にも吹き出すことができ、吹出口からの風向範囲を拡大することができる。また、風向調整板を開状態と閉状態との間で回動させることにより、風を部屋全体に効率的に送り出すことができる。
【００６２】
本実施の形態の送風装置は、前記風向調整板（１０）により風向きを下方へ案内する案内部（１２、１３、１０２）を、前記側縁の一部（１１１）に設けてあることを特徴とする。
【００６３】
本実施の形態にあっては、風向調整板（１０）により風向きを下方へ案内する案内部（１２、１３、１０２）を、風向調整板の側縁の一部（１１１）に設けてある。閉状態では、吹出口（３０）から吹き出された空気は、風向調整板により吹出面（３３）と略平行に風向きが変えられ、さらに案内部により風向調整板に対して風向きが下方へ変えられるので、送風装置の前面の隙間（３１）から吹き出された空気を、斜め下方に吹き出すことができる。これにより、送風装置が置かれた床の除湿や除菌を行うことができる。
【００６４】
本実施の形態の送風装置は、前記案内部（１２、１３）は、前記閉状態で風向きを案内するようにしてあり、前記開状態で風向きを案内しないようにしてあることを特徴とする。
【００６５】
本実施の形態にあっては、案内部（１２、１３）は、閉状態で風向きを案内するようにしてあり、開状態で風向きを案内しないようにしてある。すなわち、風向調整板（１０）が、吹出面（３３）と略平行となる閉状態では、案内部が、風向調整板に対して風向きを下方へ案内するので、送風装置の前面の隙間（３１）から吹き出された空気を、斜め下方に吹き出すことができる。一方、風向調整板が、吹出面に対して傾斜する開状態では、案内部が、風向調整板に対して風向きを下方へ案内しないので、吹出口（３０）から吹き出された空気を、風向調整板の傾斜角度に応じた斜め上方へスムーズに吹き出すことができる。すなわち、空気を斜め上方に吹き出す場合に、空気の流れが案内部により乱されることがない。
【００６６】
本実施の形態の送風装置は、前記風向調整板（１０）は、前記案内部（１３）を収容する収容部（１０１）を備え、さらに、前記風向調整板の回動に応動して、前記閉状態で前記案内部を前記風向調整板から突出させ、前記開状態で前記案内部を前記収容部に収容すべく前記案内部を駆動する駆動部（１４、１５）を備えることを特徴とする。
【００６７】
本実施の形態にあっては、風向調整板（１０）は、案内部（１３）を収容する収容部（１０１）を備える。駆動部（１４、１５）は、風向調整板の回動に応動して、閉状態で案内部を風向調整板から突出させ、開状態で案内部を収容部に収容すべく案内部を駆動する。すなわち、風向調整板（１０）が、吹出面（３３）と略平行となる閉状態では、案内部（１３）が、風向調整板から突出して、風向調整板に対して風向きを下方へ案内するので、送風装置の前面の隙間（３１）から吹き出された空気を、斜め下方に吹き出すことができる。一方、風向調整板が、吹出面に対して傾斜する開状態では、案内部が、収容部に収容されるので、吹出口（３０）から吹き出された空気を、風向調整板の傾斜角度に応じた斜め上方へスムーズに吹き出すことができる。すなわち、空気を斜め上方に吹き出す場合に、空気の流れが案内部により乱されることがない。
【００６８】
本実施の形態の送風装置は、前記案内部（１２）は、前記風向調整板の前記側縁の一部（１１１）に設けられたリブであり、さらに、該リブを遮蔽する遮蔽部（１７）と、前記風向調整板の回動に応動して、前記閉状態で前記リブを露出させ、前記開状態で前記リブを遮蔽すべく前記遮蔽部を駆動する駆動部（１８、１９）とを備えることを特徴とする。
【００６９】
本実施の形態にあっては、案内部（１２）は、風向調整板（１０）の側縁の一部（１１１）に設けられたリブであり、リブを遮蔽する遮蔽部（１７）を備える。そして、駆動部（１８、１９）は、風向調整板の回動に応動して、閉状態でリブを露出させ、開状態でリブを遮蔽する。すなわち、風向調整板（１０）が、吹出面（３３）と略平行となる閉状態では、案内部としてのリブ（１２）が露出するため、風向調整板に対して風向きを下方へ案内するので、送風装置の前面の隙間（３１）から吹き出された空気を、斜め下方に吹き出すことができる。一方、風向調整板が、吹出面に対して傾斜する開状態では、リブが遮蔽部で遮蔽されるので、吹出口（３０）から吹き出された空気を、風向調整板の傾斜角度に応じた斜め上方へスムーズに吹き出すことができる。すなわち、空気を斜め上方に吹き出す場合に、空気の流れが案内部により乱されることがない。
【符号の説明】
【００７０】
１０  前ルーバ（風向調整板）
１１  軸
１２  リブ（案内部）
１３  風向板（案内部）
１４、１９  スプリング（駆動部）
１５  ピン（駆動部）
１６  挿通孔
１７  遮蔽板（遮蔽部）
１８  押圧部（駆動部）
２０  後ルーバ（風向調整板）
２１  軸
３０、２３０  吹出口
３１、３２、２３１、２３２  隙間
３３、２３３  吹出面
４１、４２  縁部
４５  規制片
１０１  収容部
１０２  湾曲面（案内部）
１０５  下板
１１１、２１１  側縁（側縁の一部）
２１０  下ルーバ
２２０  上ルーバ
【図１】
2015141023.tif 000003
【図２】
2015141023.tif 000004
【図３】
2015141023.tif 000005
【図４】
2015141023.tif 000006
【図５】
2015141023.tif 000007
【図６】
2015141023.tif 000008
【図７】
2015141023.tif 000009
【図８】
2015141023.tif 000010
【図９Ａ】
2015141023.tif 000011
【図９Ｂ】
2015141023.tif 000012
【図１０】
2015141023.tif 000013
【図１１】
2015141023.tif 000014
【図１２Ａ】
2015141023.tif 000015
【図１２Ｂ】
2015141023.tif 000016
【図１３】
2015141023.tif 000017
【図１４】
2015141023.tif 000018
【図１５】
2015141023.tif 000019
【図１６】
2015141023.tif 000020
【手続補正書】
【提出日】平成28年8月29日(2016.8.29)
【手続補正１】
【補正対象書類名】明細書
【補正対象項目名】０００６
【補正方法】変更
【補正の内容】
【０００６】
本発明に係る送風装置は、吹出口からの風向きを調整する風向調整板を備え、該風向調整板の中途に設けられた軸の回りに前記風向調整板を回動させる送風装置であって、前記風向調整板は、前記吹出口の閉状態及び開状態の間で回動するようにしてあり、前記閉状態で、前記風向調整板の前記軸を間にする側縁の一部及び該一部に対応する他部それぞれと前記吹出口との間に隙間を設けてあり、前記風向調整板により風向きを下方へ案内する案内部を、前記側縁の一部に設けてあり、前記案内部は、前記閉状態で風向きを案内するようにしてあり、前記開状態で風向きを案内しないようにしてあることを特徴とする。
【手続補正２】
【補正対象書類名】明細書
【補正対象項目名】０００７
【補正方法】変更
【補正の内容】
【０００７】
本発明に係る送風装置は、吹出口からの風向きを調整する風向調整板を備え、該風向調整板の中途に設けられた軸の回りに前記風向調整板を回動させる送風装置であって、前記風向調整板は、前記吹出口の閉状態及び開状態の間で回動するようにしてあり、前記閉状態で、前記風向調整板の前記軸を間にする側縁の一部及び該一部に対応する他部それぞれと前記吹出口との間に隙間を設けてあり、前記風向調整板により風向きを下方へ案内する案内部を、前記側縁の一部に設けてあり、前記風向調整板は、前記案内部を収容する収容部を備え、
さらに、前記風向調整板の回動に応動して、前記閉状態で前記案内部を前記風向調整板から突出させ、前記開状態で前記案内部を前記収容部に収容すべく前記案内部を駆動する駆動部を備えることを特徴とする。
【手続補正３】
【補正対象書類名】明細書
【補正対象項目名】０００８
【補正方法】変更
【補正の内容】
【０００８】
本発明に係る送風装置は、吹出口からの風向きを調整する風向調整板を備え、該風向調整板の中途に設けられた軸の回りに前記風向調整板を回動させる送風装置であって、前記風向調整板は、前記吹出口の閉状態及び開状態の間で回動するようにしてあり、前記閉状態で、前記風向調整板の前記軸を間にする側縁の一部及び該一部に対応する他部それぞれと前記吹出口との間に隙間を設けてあり、前記風向調整板により風向きを下方へ案内する案内部を、前記側縁の一部に設けてあり、前記案内部は、前記風向調整板の前記側縁の一部に設けられたリブであり、さらに、該リブを遮蔽する遮蔽部と、前記風向調整板の回動に応動して、前記閉状態で前記リブを露出させ、前記開状態で前記リブを遮蔽すべく前記遮蔽部を駆動する駆動部とを備えることを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
吹出口からの風向きを調整する風向調整板を備え、該風向調整板の中途に設けられた軸の回りに前記風向調整板を回動させる送風装置であって、
前記風向調整板は、
前記吹出口の閉状態及び開状態の間で回動するようにしてあり、
前記閉状態で、前記風向調整板の前記軸を間にする側縁の一部及び該一部に対応する他部それぞれと前記吹出口との間に隙間を設けてあり、
前記風向調整板により風向きを下方へ案内する案内部を、前記側縁の一部に設けてあり、
前記案内部は、
前記閉状態で風向きを案内するようにしてあり、前記開状態で風向きを案内しないようにしてあることを特徴とする送風装置。
【請求項２】
吹出口からの風向きを調整する風向調整板を備え、該風向調整板の中途に設けられた軸の回りに前記風向調整板を回動させる送風装置であって、
前記風向調整板は、
前記吹出口の閉状態及び開状態の間で回動するようにしてあり、
前記閉状態で、前記風向調整板の前記軸を間にする側縁の一部及び該一部に対応する他部それぞれと前記吹出口との間に隙間を設けてあり、
前記風向調整板により風向きを下方へ案内する案内部を、前記側縁の一部に設けてあり、
前記風向調整板は、
前記案内部を収容する収容部を備え、
さらに、前記風向調整板の回動に応動して、前記閉状態で前記案内部を前記風向調整板から突出させ、前記開状態で前記案内部を前記収容部に収容すべく前記案内部を駆動する駆動部を備えることを特徴とする送風装置。
【請求項３】
吹出口からの風向きを調整する風向調整板を備え、該風向調整板の中途に設けられた軸の回りに前記風向調整板を回動させる送風装置であって、
前記風向調整板は、
前記吹出口の閉状態及び開状態の間で回動するようにしてあり、
前記閉状態で、前記風向調整板の前記軸を間にする側縁の一部及び該一部に対応する他部それぞれと前記吹出口との間に隙間を設けてあり、
前記風向調整板により風向きを下方へ案内する案内部を、前記側縁の一部に設けてあり、
前記案内部は、
前記風向調整板の前記側縁の一部に設けられたリブであり、
さらに、該リブを遮蔽する遮蔽部と、
前記風向調整板の回動に応動して、前記閉状態で前記リブを露出させ、前記開状態で前記リブを遮蔽すべく前記遮蔽部を駆動する駆動部と
を備えることを特徴とする送風装置。
【国際調査報告】
2015141023.tif 000021
2015141023.tif 000022
2015141023.tif 000023
2015141023.tif 000024